(57)【要約】【課題】身体の肩部を確実に覆って保温する肩掛け毛布を提供する。【解決手段】肩掛け毛布１０は、身体Ｐの頭部Ｈｅから下肢部Ｌｅ程度までを覆う長さＬ、及び身体Ｐの両肩部Ｓｈ以上の幅Ｗを有し、略矩形に形成される。肩掛け毛布１０は、第１領域Ｔ１と第２領域Ｔ２を有し、第１領域Ｔ１は、長さ方向の一端側に偏在し、一方の面Ｓａに頭部Ｈｅを載置できる。第２領域Ｔ２は、首部Ｎｅから下肢部Ｌｅ程度までを覆うことができる。肩掛け毛布１０は、長さ方向に偏在し、第１領域Ｔ１の中央部の幅方向を一辺とした三角形状の開口１１を有し、開口１１に頭部Ｈｅを挿入して、首部Ｎｅの周囲を囲うことができる。又、第２領域Ｔ２は、開口１１の頂点から末端に至るまで、幅方向に分割可能に構成されている。【選択図】図２
2015037447.tif 000002
【特許請求の範囲】
【請求項１】
身体の頭部から下肢部程度までを覆う長さ、及び身体の両肩部以上の幅を有する略矩形の肩掛け毛布であって、
長さ方向の一端側に偏在し、頭部が載置可能な第１領域と、
この第１領域に連続して設けられ、首部から下肢部程度までを覆う第２領域と、
前記第１領域の中央部の幅方向を一辺とし、前記第２領域に向かって頂点を形成するように閉塞され、頭部を挿入して首部の周囲を囲う開口と、を有し、
前記第２領域は、前記開口の頂点から末端に至るまで、幅方向に分割可能に構成されている肩掛け毛布。
【請求項２】
前記第２領域は、一方の面の側部に他方の面の側部を重ねて接合する、着脱自在な面ファスナを有する請求項１記載の肩掛け毛布。
【請求項３】
前記面ファスナのループ面を前記第２領域の一方の面に有し、前記面ファスナのフック面を前記第２領域の他方の面に有する請求項２記載の肩掛け毛布。
【請求項４】
少なくとも身体の両肩部が暖房されるように、ヒータ線を配設している請求項１から３のいずれかに記載の肩掛け毛布。
【請求項５】
掛け布団に適用される請求項１から４のいずれかに記載の肩掛け毛布。
【発明の詳細な説明】
【技術分野】
【０００１】
本発明は、肩掛け毛布に関する。特に、身体の肩部を確実に覆って保温する肩掛け毛布の構造に関する。
【背景技術】
【０００２】
就寝時などに身体の上に掛ける毛布は、一般に、身体の肩部からつま先までを十分に覆う程度の長辺を有する長方形に形成されている。しかし、一般的な長方形の毛布は、肩部側に位置する毛布の一方の短辺部がマットレスや敷布団から浮き上がってしまうので、肩部を十分に保温することが困難であった。
【０００３】
このような不具合を解消するため、半円状又はＵ字状の切欠き部が毛布の一方の短辺部に形成され、使用時に首部が切欠き部に嵌まり込み、切欠き部の幅方向の両側部が浮き上がることなく、肩部を覆うように構成された毛布が開示されている（例えば、特許文献１参照）。
【０００４】
しかし、特許文献１による毛布は、切欠き部の内周を首部の周囲に常時、密着させておくことが困難であり、身体の肩部を確実に覆って保温することを期待できなかった。このようなことから、略長方形の毛布であって、一方側の短辺縁の幅方向の中央から長さ方向に沿って短いスリットを形成し、このスリットによって一方の短辺部が一方の側部と他方の側部に分割された、スリット付き毛布が開示されている（例えば、特許文献２参照）。
【０００５】
特許文献２によるスリット付き毛布は、使用時には、スリットを開いて首部を挿入すると、スリットの両側又は幅方向の一方の側部及び他方の側部の内端部分を比較的安定して、首部に密着できるので、肩部の保温効果に優れている、としている。
【先行技術文献】
【特許文献】
【０００６】
【特許文献１】実開平６−５５６７号公報
【特許文献２】特開２００３−２３５７０６号公報
【発明の概要】
【発明が解決しようとする課題】
【０００７】
しかし、特許文献２によるスリット付き毛布は、スリットを開いた状態では、特許文献１に開示された、半円状又はＵ字状の切欠き部をＶ字状に切り欠いただけの違いしかなく、特許文献１と比較した優位性は期待できない、という問題がある。
【０００８】
一方の短辺部がマットレスや敷布団から浮き上がることなく、身体の肩部を確実に覆って保温する肩掛け毛布が求められている。そして、以上のことが本発明の課題といってよい。
【０００９】
本発明は、このような課題に鑑みてなされたものであり、身体の肩部を確実に覆って保温する肩掛け毛布を提供することを目的とする。
【課題を解決するための手段】
【００１０】
本発明者は、頭部を挿入して首部の周囲を囲う開口を長さ方向に偏在するように設け、一方の面に頭部が載置できる第１領域を設けると共に、他方の面が首部から下肢部程度までを覆う第２領域を設け、第２領域を開口の頂点から末端に至るまで、幅方向に分割可能に構成することにより、この課題が解決できると考え、これに基づいて、以下のような新たな肩掛け毛布を発明するに至った。
【００１１】
（１）本発明による肩掛け毛布は、身体の頭部から下肢部程度までを覆う長さ、及び身体の両肩部以上の幅を有する略矩形の肩掛け毛布であって、長さ方向の一端側に偏在し、頭部が載置可能な第１領域と、この第１領域に連続して設けられ、首部から下肢部程度までを覆う第２領域と、前記第１領域の中央部の幅方向を一辺とし、前記第２領域に向かって頂点を形成するように閉塞され、頭部を挿入して首部の周囲を囲う開口と、を有し、前記第２領域は、前記開口の頂点から末端に至るまで、幅方向に分割可能に構成されている。
【００１２】
（２）前記第２領域は、一方の面の側部に他方の面の側部を重ねて接合する、着脱自在な面ファスナを有することが好ましい。
【００１３】
（３）前記面ファスナのループ面を前記第２領域の一方の面に有し、前記面ファスナのフック面を前記第２領域の他方の面に有することが好ましい。
【００１４】
（４）本発明による肩掛け毛布は、少なくとも身体の両肩部が暖房されるように、ヒータ線を配設してもよい。
【００１５】
（５）本発明による肩掛け毛布は、掛け布団に適用してもよい。
【発明の効果】
【００１６】
本発明による肩掛け毛布は、頭部を挿入して首部の周囲を囲う開口を長さ方向に偏在するように設け、頭部が載置できる第１領域を設けると共に、首部から下肢部程度までを覆う第２領域を設けているので、肩部側に位置する肩掛け毛布の一方の辺部が頭部に押さえられて、マットレスや敷布団から浮き上がらないので、肩部を確実に覆って保温できる。
【００１７】
又、本発明による肩掛け毛布は、開口の頂点から末端に至るまで、幅方向に分割可能に構成されているので、開口に頭部を挿入することが容易である。
【図面の簡単な説明】
【００１８】
【図１】本発明の第１実施形態による肩掛け毛布の構成を示す平面図である。
【図２】第１実施形態による肩掛け毛布の第１の使用状態を示す斜視図である。
【図３】第１実施形態による肩掛け毛布の第２の使用状態を示す斜視図である。
【図４】本発明の第２実施形態による肩掛け毛布の構成を示す平面図である。
【発明を実施するための形態】
【００１９】
以下、図面を参照して本発明を実施するための形態を説明する。
［第１実施形態］
［肩掛け毛布の構成］
最初に、本発明の第１実施形態による肩掛け毛布の構成を説明する。図１は、本発明の第１実施形態による肩掛け毛布の構成を示す平面図である。図２は、第１実施形態による肩掛け毛布の使用状態を示す斜視図である。
【００２０】
図１又は図２を参照すると、本発明の第１実施形態による肩掛け毛布１０は、所定の厚さを有して略矩形に形成され、身体Ｐの頭部Ｈｅから下肢部Ｌｅ程度までを覆う長さＬ、及び身体Ｐの両肩部Ｓｈ以上の幅Ｗを有している。
【００２１】
又、図１又は図２を参照すると、肩掛け毛布１０は、第１領域Ｔ１と第２領域Ｔ２を有している。第１領域Ｔ１は、長さ方向の一端側に偏在し、枕２などを介して、一方の面（オモテ面）Ｓａに頭部Ｈｅを載置できる。第２領域Ｔ２は、第１領域Ｔ１に連続して設けられ、その他方の面（ウラ面）Ｂａが首部Ｎｅから下肢部Ｌｅ程度までを覆うことができる。なお、一方の面Ｓａをウラ面とし、他方の面Ｂａをオモテ面とすることもできる。
【００２２】
更に、図１又は図２を参照すると、肩掛け毛布１０は、長さ方向に偏在した開口１１を有している。開口１１は、第１領域Ｔ１の中央部の幅方向を一辺とし、第２領域Ｔ２に向かって頂点を形成するように閉塞されている。そして、開口１１に頭部Ｈｅを挿入して、首部Ｎｅの周囲を囲うことができる。
【００２３】
図１に示された開口１１は、第１領域Ｔ１の中央部の幅方向を一辺とした、略二等辺三角形の形状となっているが、第１領域Ｔ１の中央部の幅方向を一辺とし、第２領域Ｔ２に向かって頂点を形成するように半月状に形成してもよい。
【００２４】
図１又は図２を参照すると、肩掛け毛布１０の第２領域Ｔ２は、開口１１の頂点から末端に至るまで、幅方向に分割可能に構成されている。そして、第２領域Ｔ２は、一方の面Ｓａの側部に他方の面Ｂａの側部を重ねて接合できるように、複数の着脱自在な面ファスナ４を取り付けている。面ファスナ４は、第２領域Ｔ２に接着してもよく、縫製してもよい。肩掛け毛布１０は、第２領域Ｔ２の分割線に沿って、複数の面ファスナ４を取り付けているので、就寝時には閉じ、起床時には開くことが容易である。
【００２５】
図１を参照すると、肩掛け毛布１０は、面ファスナ４のループ面４ａを第２領域Ｔ２の一方の面Ｓａに有している。一方、肩掛け毛布１０は、面ファスナ４のフック面４ｂを第２領域Ｔ２の他方の面Ｂａに有している。したがって、ループ面４ａとフック面４ｂを相互に押し付けて、分割された一組の第２領域Ｔ２の側部同士を容易に貼り合わせることができる。又、力を加えて、一組の第２領域Ｔ２の側部同士を剥がすこともできる。
【００２６】
なお、面ファスナのフック面とは、本体となる布の片面に複数のフック状の起毛を植設している表出面を意味している。一方、面ファスナのループ面とは、本体となる布の片面に複数のループ状の起毛を密集して植設している表出面を意味している。なお、肩掛け毛布１０がフック面に接合可能な素材の場合は、面ファスナのループ面を省略することができる。そして、この場合、分割された一組の第２領域Ｔ２の側部同士を任意の箇所で貼り合わせることができる。
【００２７】
［肩掛け毛布の作用］
次に、第１実施形態による肩掛け毛布１０の作用及び効果を説明する。図１又は図２を参照すると、肩掛け毛布１０は、頭部Ｈｅを挿入して首部Ｎｅの周囲を囲う開口１１を長さ方向に偏在するように設けている。又、肩掛け毛布１０は、一方の面Ｓａに頭部Ｈｅが載置できる第１領域Ｔ１を設けている。更に、肩掛け毛布１０は、他方の面Ｂａが首部Ｎｅから下肢部Ｌｅ程度までを覆う第２領域Ｔ２を設けている。
【００２８】
図１又は図２を参照すると、肩掛け毛布１０は、両肩部Ｓｈ側に位置する肩掛け毛布１０の一方の辺部が頭部Ｈｅに押さえられて、敷布団３から浮き上がらないので、両肩部Ｓｈを確実に覆って保温できる。なお、敷布団３は、マットレスでもよい。
【００２９】
又、図１又は図２を参照すると、肩掛け毛布１０は、開口１１の頂点から末端に至るまで、幅方向に分割可能に構成されているので、開口１１に頭部Ｈｅを挿入することが容易である。更に、肩掛け毛布１０は、第２領域Ｔ２の分割線に沿って、複数の面ファスナ４を取り付けているので、就寝時には閉じ、起床時には開くことが容易である。
【００３０】
［第２実施形態］
［肩掛け毛布の構成］
次に、本発明の第２実施形態による肩掛け毛布の構成を説明する。図４は、本発明の第２実施形態による肩掛け毛布の構成を示す平面図である。なお、第１実施形態で使用した符号と同じ符号を有する構成品は、その作用を同一とするので、以下の説明では、割愛する場合がある。又、第２実施形態による肩掛け毛布の使用状態は、図２を援用することがある。
【００３１】
図４を参照すると、本発明の第２実施形態による肩掛け毛布２０は、その本体の構成が第１実施形態による肩掛け毛布１０と同じであるが、肩掛け毛布２０は、ヒータ線５を内装しているという違いがある。
【００３２】
図４を参照すると、肩掛け毛布２０は、ヒータ線５を内部に蛇行して配設している。肩掛け毛布２０は、その頭部側にコンセント５ａを配置している。コンセント５ａを電源に接続して、コンセント５ａから肩掛け毛布２０の内部をループしたヒータ線５に給電できる。肩掛け毛布２０は、少なくとも身体Ｐの両肩部Ｓｈ（図２参照）が暖房されるように、ヒータ線５を密に配設している。
【００３３】
［肩掛け毛布の作用］
次に、第２実施形態による肩掛け毛布２０の作用及び効果を説明する。図４を参照すると、第２実施形態による肩掛け毛布２０は、第１実施形態による肩掛け毛布１０と同様の効果を奏する他に、少なくとも身体Ｐの両肩部Ｓｈが暖房されるように、ヒータ線５を配設しているので、寒冷地などで使用するのに適している。
【００３４】
本発明は、身体の肩部を確実に覆って保温する好適な肩掛け毛布を開示したが、本発明の毛布は、掛け布団をも含む概念である。したがって、本発明は、掛け布団に適用することもできる。又、シート状の布体に適用することもでき、応用範囲が拡充されることが期待できる。
【００３５】
図１又は図２に示された第１実施形態による肩掛け毛布１０、又は、図４に示された第２実施形態による肩掛け毛布２０は、一方の面Ｓａの側部に他方の面Ｂａの側部を重ねて接合できるように、複数の着脱自在な面ファスナ４を第２領域Ｔ２に取り付けている。一方、図３の第２の使用状態に示されるように、本発明による肩掛け毛布は、面ファスナ４を第２領域Ｔ２に取り付けることなく、分割された第２領域Ｔ２が大きく交差するように、重ね合わせて使用することもできる。
【００３６】
又、図３に示された第２の使用状態では、分割された第２領域Ｔ２が大きく交差した状態で重ねて使用できるように、一方の面Ｓａに他方の面Ｂａを重ねて接合する位置に面ファスナ４を設けてもよい（図１又は図２参照）。この場合、図３を参照して、胸部に対応する位置に面ファスナ４を設けることが好ましい。これにより、分割された第２領域Ｔ２を大きく交差して重ねて使用する場合であっても、分割された第２領域Ｔ２が外れ難くなる。
【符号の説明】
【００３７】
１０  肩掛け毛布
１１  開口
Ｔ１  第１領域
Ｔ２  第２領域
【図１】
2015037447.tif 000003
【図２】
2015037447.tif 000004
【図３】
2015037447.tif 000005
【図４】
2015037447.tif 000006